(57)【要約】【課題】生産性が良好な画像形成装置を提供する。【解決手段】複合機１１は、本体部２０と、ＡＤＦ２２と、ヒンジ５１ａと、バネ５３ａと、台座６１ａとを備える。ＡＤＦ２２は、本体部２０の上部に設けられており、セットされた原稿を読み取り位置まで搬送する。ヒンジ５１ａは、本体部２０に対してＡＤＦ２２を開閉可能に支持する。バネ５３ａは、弾性力に応じてヒンジ５１ａの開閉強度を変更する。台座６１ａは、本体部２０に取り付けられ、バネ５３ａの弾性力を可変とする。【選択図】図７
2017085382.tif 000002
【特許請求の範囲】
【請求項１】
原稿の画像を読み取り位置で読み取る画像読み取り部と、
前記画像読み取り部により読み取られた原稿の画像データを基に画像を形成する画像形成部と、
前記画像形成部をその内方側に収容する本体部と、
前記本体部の上部に設けられており、セットされた原稿を前記読み取り位置まで搬送する原稿搬送装置と、
前記本体部に対して前記原稿搬送装置を開閉可能に支持するヒンジと、
弾性力に応じて前記ヒンジの開閉強度を変更する弾性部材と、
前記本体部に取り付けられ、前記弾性部材の弾性力を可変とする弾性力可変機構とを備える、画像形成装置。
【請求項２】
前記弾性力可変機構は、前記弾性部材の長さを可変とする台座部を含む、請求項１に記載の画像形成装置。
【請求項３】
前記弾性力可変機構は、前記本体部に着脱可能であり、複数の高さの異なる前記台座部を含む、請求項２に記載の画像形成装置。
【請求項４】
前記弾性部材は、バネを含む、請求項１〜３のいずれか１項に記載の画像形成装置。
【請求項５】
前記ヒンジは、一対設けられている、請求項１〜４のいずれか１項に記載の画像形成装置。
【請求項６】
前記ヒンジは、前記バネの一部を内包する、請求項４または５に記載の画像形成装置。
【発明の詳細な説明】
【技術分野】
【０００１】
この発明は、画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写し、画像形成装置に備えられる定着装置によって定着させ、装置外に排出する。
【０００３】
ここで、原稿の画像を読み取る際には、画像形成装置に設けられた原稿搬送装置（ＡＤＦ（Ａｕｔｏ  Ｄｏｃｕｍｅｎｔ  Ｆｅｅｄｅｒ））に原稿をセットする。そして、画像読み取りの開始のキーを押下する。そうすると、ＡＤＦは、原稿を一枚ずつ読み取り位置に搬送する。このようにして、画像形成装置において、原稿の画像を読み取らせる。原稿の画像の読み取りに関する技術が、特開平５−８８４８５号公報（特許文献１）、特開平５−２９７６６５号公報（特許文献２）、および特開２０００−２３３８７４号公報（特許文献３）に開示されている。
【先行技術文献】
【特許文献】
【０００４】
【特許文献１】特開平５−８８４８５号公報
【特許文献２】特開平５−２９７６６５号公報
【特許文献３】特開２０００−２３３８７４号公報
【発明の概要】
【発明が解決しようとする課題】
【０００５】
画像形成装置には、載置台に載置された原稿の画像の読み取りも行うことができる。ＡＤＦは、載置台上に載置された原稿を押さえる原稿押さえの役割も兼用する。すなわち、ＡＤＦは、画像形成装置の本体部側に開閉可能に設けられており、ＡＤＦを開けた状態で載置台上に原稿をセットさせる。また、ＡＤＦを閉じた状態で、外部からの光を遮断させ、載置台上に載置された原稿の画像を読み取らせる。
【０００６】
ＡＤＦは、搬送する原稿をセットさせる原稿セット台や原稿を一枚ずつ読み取り位置まで搬送するための搬送ローラー等を備える構成である。したがって、比較的その重量が重いものである。
【０００７】
画像形成装置にＡＤＦを取り付ける際には、ヒンジが用いられる。具体的には、例えば、一対のヒンジをＡＤＦの奥側に間隔を開けて設け、画像形成装置の奥側に一対のヒンジを取り付ける。このようにして、ＡＤＦを開閉可能に支持する構成とする。ヒンジは、その構成が比較的複雑なものとなっている。
【０００８】
昨今の画像形成装置においては、画像形成装置の本体部側の性能は同じでありながら、ＡＤＦの性能が多岐に亘るものがある。そうすると、性能に応じて構成されるＡＤＦそれぞれの重量や重心の位置が異なるため、これに応じたＡＤＦの開閉の強度、ひいては、ヒンジの強度が求められることとなる。しかし、多岐に亘るＡＤＦの性能に応じて、その都度強度の異なるヒンジを製造することは、生産性の観点から好ましくない。このような状況に対し、上記した特許文献１〜３に開示の技術では、対応することが困難である。
【０００９】
この発明の目的は、生産性が良好な画像形成装置を提供することである。
【課題を解決するための手段】
【００１０】
この発明の一の局面においては、画像形成装置は、画像読み取り部と、画像形成部と、本体部と、原稿搬送装置と、ヒンジと、弾性部材と、弾性力可変機構とを備える。画像読み取り部は、原稿の画像を読み取り位置で読み取る。画像形成部は、画像読み取り部により読み取られた原稿の画像データを基に画像を形成する。本体部は、画像形成部をその内方側に収容する。原稿搬送装置は、本体部の上部に設けられており、セットされた原稿を読み取り位置まで搬送する。ヒンジは、本体部に対して原稿搬送装置を開閉可能に支持する。弾性部材は、弾性力に応じてヒンジの開閉強度を変更する。弾性力可変機構は、本体部に取り付けられ、弾性部材の弾性力を可変とする。
【発明の効果】
【００１１】
このような画像形成装置によると、弾性力可変機構により弾性部材の弾性力を可変として、ヒンジの開閉強度を変更することができる。そうすると、ＡＤＦの性能に応じて、ヒンジの開閉強度を変更することが容易となる。したがって、このような画像形成装置によると、生産性が良好となる。
【図面の簡単な説明】
【００１２】
【図１】この発明の一実施形態に係る画像形成装置を複合機に適用した場合の複合機の外観を示す概略図である。
【図２】この発明の一実施形態に係る画像形成装置を複合機に適用した場合の複合機の構成を示すブロック図である。
【図３】画像読み取り部に備えられるＡＤＦの一部を示す概略断面図である。
【図４】複合機に備えられるＡＤＦを示す斜視図である。
【図５】複合機に備えられる本体部を示す斜視図である。
【図６】本体部にＡＤＦが取り付けられた状態を示す斜視図である。
【図７】図６中のＶＩＩで示す部分の拡大図である。
【図８】台座の厚みが異なる場合を示す図である。
【発明を実施するための形態】
【００１３】
以下、この発明の実施の形態を説明する。図１は、この発明の一実施形態に係る画像形成装置を複合機に適用した場合の複合機の外観を示す概略図である。図２は、この発明の一実施形態に係る画像形成装置を複合機に適用した場合の複合機の構成を示すブロック図である。
【００１４】
図１および図２を参照して、複合機１１は、制御部１２と、操作部１３と、画像読み取り部１４と、画像形成部１５と、用紙セット部１９と、排出トレイ３０と、格納部としてのハードディスク１６と、ファクシミリ通信部１７と、本体部２０と、ネットワーク２５と接続するためのネットワークインターフェース部１８とを備える。
【００１５】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ３０に排出される。本体部２０は、画像形成部１５をその内方側に収容する。上記したＡＤＦ２２は、本体部２０の上方側に設けられている。ハードディスク１６は、送信された画像データや入力された画像形成条件等の格納を行う。ファクシミリ通信部１７は、公衆回線２４に接続されており、ファクシミリ送信やファクシミリ受信を行う。
【００１６】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１７】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１８】
この発明の一実施形態に係る複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機やサーバーが接続されている構成でもよい。
【００１９】
次に、この発明の一実施形態に係る複合機１１に備えられる画像読み取り部１４に含まれるＡＤＦ２２の構成について説明する。図３は、画像読み取り部１４に備えられるＡＤＦ２２の一部を示す概略断面図である。理解の容易の観点から、図３において、部材のハッチングを省略している。図１〜図３を参照して、ＡＤＦ２２は、原稿セット台３１と、ピックアップローラー３２と、分離ローラー３３と、搬送ローラー３４、３５、３６と、排紙ローラー３７と、排紙トレイ３８とを含む。原稿セット台３１は、搬送される複数の原稿３９をセットされる。ピックアップローラー３２は、原稿セット台３１にセットされた原稿３９を順次下流側へ供給する。分離ローラー３３は、搬送する原稿３９を一枚ごとに分離する。原稿３９の搬送方向の上流側から順に設けられた搬送ローラー３４、３５、３６はそれぞれ、原稿３９を読み取り位置４１まで搬送する。排紙ローラー３７は、読み取り位置４１で読取られた原稿３９を排紙する。排紙トレイ３８は、排紙された原稿３９が載置される。なお、図３における副走査方向を、図３中の矢印Ｄ１またはその逆の方向で示している。
【００２０】
ＡＤＦ２２を含む画像読み取り部１４は、透明板４２と、コンタクトガラス４３と、不図示のキャリッジとを含む。透明板４２は、原稿３９の搬送方向における搬送ローラー３６と対向する位置に設けられる。コンタクトガラス４３は、透明板４２の副走査方向の隣り合う位置に設けられる。コンタクトガラス４３は、原稿３９を載置して原稿３９の画像を読み取らせる際の載置面となる。キャリッジは、透明板４２およびコンタクトガラス４３の下部領域において配置される。キャリッジは、副走査方向に移動可能である。
【００２１】
また、画像読み取り部１４は、光源４４と、複数のミラー（図示せず）と、光を集光するレンズ（図示せず）と、イメージセンサーとしてのＣＣＤ（Ｃｈａｒｇｅ  Ｃｏｕｐｌｅｄ  Ｄｅｖｉｃｅ）センサー４５とを含む。光源４４は、ＡＤＦ２２によって搬送された原稿３９に対して透明板４２を透過させて光を照射する。キャリッジは、光源４４と、複数のミラーのうちの一部を含む。光源４４は、いわゆる複数のＬＥＤ（Ｌｉｇｈｔ  Ｅｍｉｔｔｉｎｇ  Ｄｉｏｄｅ）を主走査方向に配置することにより構成されている。ＡＤＦ２２によって搬送される原稿３９の画像を読み取る際に、キャリッジは、透明板４２の下部の位置に停止される。光源４４は、原稿３９の画像を読み取る読み取り位置４１に向かって光を照射する。そして、透明板４２の上側、具体的には、読み取り位置４１の上に搬送された原稿３９から反射される反射光を複数のミラーおよびレンズによって集光し、ＣＣＤセンサー４５に入力させることにより、読み取り位置４１上に搬送された原稿３９の画像を読み取る。
【００２２】
ＡＤＦ２２は、操作部１３のスタートキーの押下を検知すると、セットされた複数枚の原稿３９を順次読み取り位置４１に搬送する。ＡＤＦ２２は、読み取り位置４１においてＣＣＤセンサー４５により原稿３９の画像が順次読み取り、排紙トレイ３８に複数枚の原稿３９を順次排紙する。
【００２３】
なお、ＡＤＦ２２は、載置台となるコンタクトガラス４３上に載置された原稿３９を押さえる原稿押さえとしても機能する。すなわち、ＡＤＦ２２は、コンタクトガラス４３上に載置された原稿３９を押さえる原稿押さえも兼用する構成である。
【００２４】
次に、本体部２０へのＡＤＦ２２の取り付け状態について説明する。図４は、複合機１１に備えられるＡＤＦ２２を示す斜視図である。図５は、複合機１１に備えられる本体部２０を示す斜視図である。図６は、本体部２０にＡＤＦ２２が取り付けられた状態を示す斜視図である。図７は、図６中のＶＩＩで示す部分の拡大図である。図４〜図６は、複合機１１を斜め後ろ方向から見た図である。なお、理解の容易の観点から、図５において、後述する一対のヒンジ受け部５６ａ、５６ｂのうちの他方のヒンジ受け部５６ｂの図示を省略している。
【００２５】
図１〜図７を参照して、ＡＤＦ２２は、本体部２０に対して着脱可能に設けられている。ＡＤＦ２２には、一対のヒンジ５１ａ、５１ｂが設けられている。一対のヒンジ５１ａ、５１ｂは、ＡＤＦ２２の奥側に間隔を開けて設けられている。一対のヒンジ５１ａ、５１ｂは、本体部２０に対してＡＤＦ２２を開閉可能に支持する。すなわち、複合機１１は、本体部２０に対してＡＤＦ２２を開閉可能に支持する一対のヒンジ５１ａ、５１ｂを備える構成である。
【００２６】
一方のヒンジ５１ａは、剛性を有する筒状部５２ａと、筒状部５２ａの内方側に配置される弾性部材としてのバネ５３ａとを備える。ヒンジ５１ａは、筒状部５２ａが上下方向に延びるようにＡＤＦ２２に取り付けられる。バネ５３ａの下方端部５４ａは、筒状部５２ａの下方端部５５ａから突き出た構成である。すなわち、バネ５３ａの自然長は、筒状部５２ａの長手方向の長さよりもやや長い構成である。このバネ５３ａの弾性力に応じて、ヒンジ５１ａの開閉強度が変更される。すなわち、例えば、バネ５３ａが自然長よりもやや小さく押し縮められた状態の時は、ヒンジ５１ａの開閉強度が比較的小さくなる。一方、バネ５３ａが自然長よりも大きく押し縮められた状態の時は、ヒンジ５１ａの開閉強度が比較的大きくなる。なお、他方のヒンジ５１ｂの構成についても、一方のヒンジ５１ａと同様の構成であるため、その説明を省略する。
【００２７】
本体部２０には、一対のヒンジ５１ａ、５１ｂを取り付けるための一対のヒンジ受け部５６ａ、５６ｂが設けられている。ヒンジ受け部５６ａ、５６ｂについても、ＡＤＦ２２に設けられた一対のヒンジ５１ａ、５１ｂを取り付けることができるように、本体部２０の奥側に一対のヒンジ５１ａ、５１ｂの間隔と同じ間隔を開けて設けられている。ヒンジ受け部５６ａ、５６ｂは、本体部２０の上方側から下方側に凹むようにして設けられている。
【００２８】
ヒンジ受け部５６ａの形状は、板状部材を断面がコの字状となるように折り曲げられた形状である。ヒンジ受け部５６ａの最下部には、水平方向に延びる平板部５７ａが形成される。なお、ヒンジ受け部５６ｂの構成は、ヒンジ受け部５６ａの構成と同様であるため、その説明を省略する。本体部２０のうち、ヒンジ受け部５６ａ、５６ｂのそれぞれの上方側には、ヒンジ５１ａ、５１ｂを挿通可能な図示しない開孔が設けられている。
【００２９】
ここで、複合機１１は、本体部２０に取り付けられ、バネ５３ａの弾性力を可変とする弾性力可変機構としての台座６１ａを備える。台座６１ａは、本体部２０に容易に着脱可能に取り付けられる。台座６１ａの形状は、ブロック状であって、上方側、すなわち、図７中の矢印Ｄ２で示す方向から見た場合に、太い十字状となるよう構成されている。台座６１ａは、比較的単純な形状であり、量産性が良好なものである。
【００３０】
台座６１ａは、ヒンジ受け部５６ａのうちの平板部５７ａの上に載置されるようにして取り付けられている。台座６１ａの下面６２ａは、平板部５７ａの上面５８ａに当接するようにして配置されている。台座６１ａの厚みについては、台座６１ａの下面６２ａから上面６３ａまでの長さＬ１で示される。台座６１ａについては、ある程度の剛性を有する部材で形成されている。
【００３１】
次に、本体部２０に対するＡＤＦ２２の取り付けについて説明する。ヒンジ受け部５６ａの平板部５７ａの上に、台座６１ａを載置する。その後、本体部２０の上方側にＡＤＦ２２を配置させ、ヒンジ５１ａのうち、バネ５３ａの下方端部５５ａを台座６１ａの上面６３ａに当接させるようにして、取り付ける。すなわち、本体部２０側に設けられたヒンジ受け部５６ａとヒンジ５１ａに備えられるバネ部５３ａとの間に、台座６１ａが配置される構成となる。
【００３２】
この時、バネ５３ａは、台座６１ａの厚みに応じて、自然長よりもやや短い長さで付勢されて取り付けられる。そうすると、付勢されているバネ５３ａの弾性力が変化する。そして、このバネ５３ａの弾性力に応じて、ヒンジ５１ａの開閉強度が変化する。具体的には、バネ５３ａは、自然長よりもやや短い長さで付勢されているため、ヒンジ５１ａの開閉強度を比較的小さい開閉強度とすることができる。
【００３３】
図８は、台座６１ｃの厚みが異なる場合を示す図である。図８を参照して、台座６１ｃの厚みについては、台座６１ｃの下面６２ｃから上面６３ｃまでの長さＬ２で示される。長さＬ２は、台座６１ａの厚みを示す長さＬ１よりも長く構成されている。この場合、バネ５３ａについては、自然長よりも相当短い長さに圧縮されて取り付けられることとなる。そうすると、圧縮されているバネ５３ａの弾性力が大きくなり、ヒンジ５１ａの開放方向への付勢力を比較的大きくすることができる。
【００３４】
このような構成によると、弾性力可変機構としての台座６１ａ、６１ｃを変更することによりバネ５３ａの弾性力を可変として、ヒンジ５１ａの開閉強度を変更することができる。そうすると、ＡＤＦ２２の性能に応じて、ヒンジ５１ａの開閉強度を変更することが容易となる。したがって、このような複合機１１によると、生産性が良好となる。
【００３５】
この場合、台座６１ａの形状は、上方側から見た場合に十字状となるよう構成されているため、台座６１ａの軽量化を図ることができると共に、材料費の節減を図ることができる。
【００３６】
また、この場合、弾性部材としてバネ５３ａを用いているため、生産性を良好にすることができる。また、取り付けも容易に行うことができる。
【００３７】
また、この場合、筒状部５２ａにバネ５３ａの一部が内包される構成であるため、複合機１１の後ろ側のスペースを効率的に利用することができる。
【００３８】
なお、上記の実施の形態においては、台座６１ａの形状は、上方側から見た場合に、十字状となるよう構成することとしたが、これに限らず、台座６１ａの形状は、直方体状や立方体状であってもよいし、また、円柱状や三角柱状、多角柱状であってもよい。
【００３９】
また、上記の実施の形態においては、弾性部材としてバネ５３ａを用いることとしたが、これに限らず、弾性部材としてゴム状の部材を用いることとしてもよい。
【００４０】
なお、上記の実施の形態においては、複合機１１には、一対のヒンジ５１ａ、５１ｂを設けることとしたが、これに限らず、一つのヒンジ５１ａや、三つ以上のヒンジ５１ａを設ける構成としてもよい。
【００４１】
また、上記の実施の形態においては、台座６１ａ、６１ｃを着脱可能な構成としたが、これに限らず、弾性力可変機構としての台座６１ａとして、台座６１ａ自身の上下方向の長さを可変とする構成を採用することにしてもよい。こうすることにより、台座６１ａの取り替えを行うことなく、ヒンジ５１ａの開閉強度を可変とすることができる。
【００４２】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４３】
この発明に係る画像形成装置は、良好な生産性が要求される場合に、特に有効に利用される。
【符号の説明】
【００４４】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２０  本体部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  原稿セット台、３２  ピックアップローラー、３３  分離ローラー、３４，３５，３６  搬送ローラー、３７  排紙ローラー、３８  排紙トレイ、３９  原稿、４１  読み取り位置、４２  透明板、４３  コンタクトガラス、４４  光源、４５  ＣＣＤセンサー、５１ａ，５１ｂ  ヒンジ、５２ａ  筒状部、５３ａ  バネ、  ５４ａ，５５ａ  端部、５６ａ，５６ｂ  ヒンジ受け部、５７ａ  平板部、５８ａ，６３ａ，６３ｃ  上面、６１ａ，６１ｃ  台座、６２ａ，６２ｃ  下面。
【図１】
2017085382.tif 000003
【図２】
2017085382.tif 000004
【図３】
2017085382.tif 000005
【図４】
2017085382.tif 000006
【図５】
2017085382.tif 000007
【図６】
2017085382.tif 000008
【図７】
2017085382.tif 000009
【図８】
2017085382.tif 000010